(57)【要約】【課題】還流通路出口の凍結を抑制することのできる還流通路の接続構造を提供する。【解決手段】還流通路２は、内燃機関の吸気通路１にブローバイガスを還流する。還流通路２と吸気通路１との接続構造は、吸気通路１において矢印Ａで示す吸気の流れを避けるように形成された退避部３と、還流通路２において退避部３の一部に接続された接続部４とを備える。【選択図】図１
2008267320.tif 000002
【特許請求の範囲】
【請求項１】
内燃機関の吸気通路にブローバイガスを還流する還流通路と前記吸気通路との接続構造において、
前記吸気通路において吸気の流れを避けるように形成された退避部と、前記還流通路において前記退避部の一部に接続された接続部と
を備えることを特徴とする還流通路の接続構造。
【請求項２】
前記退避部における前記ブローバイガスの流路断面積は前記還流通路の前記接続部における前記ブローバイガスの流路断面積よりも大きく設定されている
ことを特徴とする請求項１に記載の還流通路の接続構造。
【請求項３】
前記接続部において前記還流通路は、その延長線が前記退避部の内壁よりも前記吸気通路の中心側となるように接続されている
ことを特徴とする請求項１又は２に記載の還流通路の接続構造。
【請求項４】
前記接続部において前記還流通路は前記ブローバイガスが吸気の下流側へ向かうように接続されている
ことを特徴とする請求項１乃至３のいずれかに記載の還流通路の接続構造。
【請求項５】
前記接続部は、前記吸気通路の本体と前記退避部との境界から離間した位置に設けられている
ことを特徴とする請求項１乃至４のいずれかに記載の還流通路の接続構造。
【請求項６】
前記接続部は、前記退避部内において前記吸気通路の本体の中心へ近付く方向へ延設された延設部を有する
ことを特徴とする請求項１乃至５のいずれかに記載の還流通路の接続構造。
【発明の詳細な説明】
【技術分野】
【０００１】
この発明は、内燃機関の吸気通路にブローバイガスを還流する還流通路と吸気通路との接続構造の改良に関する。
【背景技術】
【０００２】
車載内燃機関に適用される装置として、シリンダとピストンの隙間からクランクケース内に漏れ出した燃焼ガス（ブローバイガス）の換気を行うとともに、その換気したブローバイガスを吸気中に還流して処理するブローバイガス処理装置が知られている。こうしたブローバイガス処理装置付きの内燃機関では、吸気中に還流されたブローバイガスが燃焼室内で再燃焼されることから、大気中への炭化水素（ＨＣ）排出量を低減することができる。また、機関内部の換気により、ブローバイガスによるオイルの劣化を抑制することができる。
【０００３】
ここで、従来、図６のようにブローバイガスを還流する還流通路１２は吸気通路１１に形成された導入部１３に接続されるが、外気低温時には該外気に接触することにより還流通路１２からの還流ガス中の水蒸気が通路出口（導入部１３）において凍結することがある。凍結が進むと出口が閉塞されることになり、ブローバイガスの還流に支障を来す事態が発生する。
【０００４】
そこで従来、特許文献１又は特許文献２に記載の装置のように、還流通路出口の閉塞を抑制するように改良した接続構造が提案されている。
特許文献１に記載の接続構造では、吸気通路内まで延長された還流通路の接続端部を略ラッパ状に拡開した形状に成型した。これは、還流通路出口で水分が凍結した場合、前記接続端部が略ラッパ状に拡開されており還流通路出口の径が大きいため、凍結による閉塞を遅延させようとしたものである。
【０００５】
また、特許文献２に記載の接続構造では、還流通路を吸気通路の中央まで挿入すると共に、その還流通路の挿入角度を一定の角度範囲に設定した。これは、還流通路中で水蒸気が水滴になっても還流通路内壁を伝って還流通路先端まで流下し、吸気通路内部を流通する吸気の勢いで水滴を吹き飛ばすことにより、還流通路出口での凍結を回避したものである。
【特許文献１】実開平５−３０４１１号公報
【特許文献２】実開平６−３０４０９号公報
【発明の開示】
【発明が解決しようとする課題】
【０００６】
ところで、特許文献１の接続構造は、凍結による閉塞を遅延させることはできるものの、還流通路出口での水分の凍結は避けられない。
また、特許文献２の接続構造では、還流通路を吸気通路内部まで挿入しているため、該還流通路の挿入部が吸気によって冷却される。このため、開口部に達するまでに水滴が冷やされて凍結するおそれがある。
【０００７】
本発明は、こうした実情に鑑みてなされたものであり、その目的は、還流通路出口の凍結を抑制することのできる還流通路の接続構造を提供することにある。
【課題を解決するための手段】
【０００８】
以下、上記目的を達成するための手段及びその作用効果について記載する。
請求項１に記載の発明は、内燃機関の吸気通路にブローバイガスを還流する還流通路と前記吸気通路との接続構造において、前記吸気通路において吸気の流れを避けるように形成された退避部と、前記還流通路において前記退避部の一部に接続された接続部とを備えることを特徴とする。
【０００９】
上記構成によれば、吸気通路において吸気の流れを避けるように形成された退避部を備えているため、該退避部では吸気による冷却が抑制される。そして、還流通路において退避部の一部に接続された接続部を備えているため、冷却の抑制された退避部との接続部からブローバイガスが排出される。その結果、還流通路出口の凍結を抑制することができる。
【００１０】
具体的には、請求項２に記載されるように、請求項１に記載の還流通路の接続構造において、前記退避部における前記ブローバイガスの流路断面積は前記還流通路の前記接続部における前記ブローバイガスの流路断面積よりも大きく設定されているといった態様を採用することができる。
【００１１】
請求項３に記載の発明は、請求項１又は２に記載の還流通路の接続構造において、前記接続部において前記還流通路は、その延長線が前記退避部の内壁よりも前記吸気通路の中心側となるように接続されていることを特徴とする。
【００１２】
上記構成によれば、接続部において還流通路は、その延長線が退避部の内壁よりも吸気通路の中心側となるように接続されているため、還流通路の接続部から排出されたブローバイガスが退避部の内壁に当たることが抑制される。その結果、ブローバイガス中の水分が退避部に付着して凍結することを抑制することができる。
【００１３】
請求項４に記載の発明は、請求項１乃至３のいずれかに記載の還流通路の接続構造において、前記接続部において前記還流通路は前記ブローバイガスが吸気の下流側へ向かうように接続されていることを特徴とする。
【００１４】
上記構成によれば、接続部において還流通路はブローバイガスが吸気の下流側へ向かうように接続されているため、ブローバイガスは吸気の流れに沿って速やかに拡散する。このため、還流通路出口にブローバイガス中の水分が滞留することを抑制することができ、還流通路出口の凍結を更に抑制することができる。
【００１５】
請求項５に記載の発明は、請求項１乃至４のいずれかに記載の還流通路の接続構造において、前記接続部は、前記吸気通路の本体と前記退避部との境界から離間した位置に設けられていることを特徴とする。
【００１６】
退避部において吸気通路の本体との境界に近い位置ほど吸気によって冷却され易くなる。なお、吸気通路の本体とは、吸気通路において退避部の形成されていない部分、すなわち吸気の本流を形成する部分を指すものとする。
【００１７】
この点、上記構成によれば、接続部は、吸気通路の本体と退避部との境界から離間した位置に設けられているため、接続部における吸気による冷却を抑制することができる。これにより、接続部すなわち還流通路の出口での水分の凍結をさらに抑制することができる。
【００１８】
請求項６に記載の発明は、請求項１乃至５のいずれかに記載の還流通路の接続構造において、前記接続部は、前記退避部内において前記吸気通路の本体の中心へ近付く方向へ延設された延設部を有することを特徴とする。
【００１９】
上記構成によれば、接続部は、退避部内において吸気通路の本体の中心へ近付く方向へ延設された延設部を有するため、還流通路出口に水分が付着したとしても延設部から垂れ落ちさせることができる。その結果、接続部から退避部の内壁へと水分が伝っていくことを抑制することができるため、退避部における水分の凍結を抑制することができる。
【発明を実施するための最良の形態】
【００２０】
以下、この発明にかかるブローバイガス還流通路の接続構造を図１、図２に基づき説明する。図１は、吸気通路中の吸気の流通方向と平行で還流通路の接続部の中心を通る平面における断面図である。図２は、図１のＸ−Ｘ線断面図である。
【００２１】
内燃機関の吸気通路１には、ブローバイガスを還流する還流通路２からブローバイガスが導入される。還流通路２は、一端が内燃機関のクランクケースに接続されたホース部６と、ホース部６の他端を吸気通路１に接続するための接続部４とを備えている。
【００２２】
吸気通路１には矢印Ａで示す吸気の流れを避けるように退避部３が形成されている。退避部３は、吸気通路本体１Ａの外周の一部に略半球形状に形成されており、吸気通路本体１Ａの外周から突出している。なお、吸気通路本体１Ａは、吸気通路１において退避部３の形成されていない部分、すなわち吸気の本流を形成する部分である。退避部３は、吸気通路本体１Ａの鉛直上方に配置されている。退避部３は、実験等に基づいて、矢印Ａで示す吸気の流れを避けることのできる最低限の大きさで形成されている。
【００２３】
退避部３の一部には、上記還流通路２の接続部４が接続されている。これら退避部３、接続部４、吸気通路本体１Ａは一体として樹脂等により成型される。
接続部４は、ホース部６の先端を隙間なく嵌め合せて固定できる外径の円筒型に成型されている。ここで、退避部３におけるブローバイガスの流路断面積は還流通路２の接続部４におけるブローバイガスの流路断面積よりも大きく設定されている。接続部４は、吸気通路本体１Ａと退避部３との境界から離間した位置に、還流通路２を流れるブローバイガスが矢印Ａで示す吸気の流れの下流側へ向かうように設けられる。また、還流通路２は接続部４において、その延長線が退避部３の内壁よりも吸気通路１の中心側となるように接続されている。
【００２４】
さらに、接続部４は、退避部３内において吸気通路本体１Ａの中心へ近付く方向へ延設された延設部５を有する。延設部５は、接続部４と同径の円筒型で、矢印Ａで示す吸気の流れに直接曝されないよう短く設けられている。
【００２５】
以上説明した還流通路の接続構造によれば、以下の効果を奏することができる。
（１）吸気通路１において吸気の流れを避けるように形成された退避部３を備えているため、該退避部３では矢印Ａで示す吸気の流れによる冷却が抑制される。そして、還流通路２において退避部３の一部に接続された接続部４を備えているため、冷却の抑制された退避部３との接続部４からブローバイガスが排出される。その結果、還流通路２の出口の凍結を抑制することができる。
【００２６】
（２）接続部４において還流通路２はブローバイガスが吸気の下流側へ向かうように接続されているため、ブローバイガスは矢印Ａで示す吸気の流れに沿って速やかに拡散する。このため、還流通路２の出口にブローバイガス中の水分が滞留することを抑制することができ、還流通路２の出口の凍結を更に抑制することができる。
【００２７】
（３）退避部３において吸気通路本体１Ａとの境界に近い位置ほど吸気によって冷却され易くなる。この点、接続部４は、吸気通路本体１Ａと退避部３との境界から離間した位置に設けられているため、接続部４における吸気による冷却を抑制することができる。これにより、接続部４すなわち還流通路２の出口での水分の凍結をさらに抑制することができる。
【００２８】
（４）接続部４は、退避部３内において吸気通路本体１Ａの中心へ近付く方向へ延設された延設部５を有するため、還流通路２の出口に水分が付着したとしても延設部５から垂れ落ちさせることができる。その結果、接続部４から退避部３の内壁へと水分が伝っていくことを抑制することができるため、退避部３における水分の凍結を抑制することができる。
【００２９】
なお、この発明にかかる還流通路の接続構造は、上記実施の形態にて例示した構成に限定されるものではなく、同実施の形態を適宜変更した例えば次のような形態として実施することもできる。
【００３０】
・上記実施の形態では、退避部３が略半球状である例を示した。しかし、退避部３は吸気の流れを避けるように形成されればよく、略半球状とは別の形状を有してもよい。例として、図３のように退避部２３が略直方体形状である還流通路２２の接続構造を採用することもできる。
【００３１】
・上記実施の形態では、延設部５を有する例を示した。しかし、図３のように延設部を有さない接続部２４を採用することもできる。この場合であっても、上記効果の（１）乃至（３）の効果を奏することができる。
【００３２】
・上記実施の形態では、接続部４は、吸気通路本体１Ａと退避部３との境界から離間した位置に設けられている例を示した。しかし、図４のように、吸気通路本体３１Ａと退避部３３との境界に接した位置に接続部３４を設けた形態も採用することができる。この場合であっても、上記効果の（１）および（２）に準ずる効果を奏することができる。
【００３３】
・また、図５のように、退避部４３を吸気通路本体４１Ａの鉛直下方に設けた態様を採用することもできる。すなわち、退避部の配設位置は必ずしも吸気通路本体の鉛直上方に限られない。
【図面の簡単な説明】
【００３４】
【図１】本発明にかかる還流通路の接続構造を示す断面図。
【図２】図１のＸ−Ｘ線断面図。
【図３】本発明にかかる還流通路の接続構造の変形例を示す断面図。
【図４】本発明にかかる還流通路の接続構造の他の変形例を示す断面図。
【図５】本発明にかかる還流通路の接続構造の他の変形例を示す断面図。
【図６】従来の還流通路の接続構造を示す断面図。
【符号の説明】
【００３５】
１，１１，２１，３１，４１…吸気通路、２，１２，２２，３２，４２…還流通路、３、１３、２３、３３、４３…退避部、４，２４，３４，４４…接続部、５…延設部、６，２６，３６，４６…還流通路ホース。
【図１】
2008267320.tif 000003
【図２】
2008267320.tif 000004
【図３】
2008267320.tif 000005
【図４】
2008267320.tif 000006
【図５】
2008267320.tif 000007
【図６】
2008267320.tif 000008